(57)【要約】【課題】使い勝手の悪化を招くことなく外力による支持部の破損を防止することができるカップホルダーを提供する。【解決手段】カップを受ける受け部１３上に設けられた支持部３１と共同してカップをその両側方から挟持する支持アーム２４を、受け部１３からその上方へ伸びる軸部材２３に該軸部材の周りに回動可能且つ該軸部材の伸長方向に沿って移動可能に支持し、カップを支持部３１との間で挟持すべく該支持部に向けての回転力を付与するためのトーションスプリング３８のコイル部３９を圧縮コイルスプリングで構成し、支持アーム２４を受け部１３から所定の間隔をおいた高さ位置に保持する付勢力をコイル部２９から支持アーム２４に付与する。【選択図】図１
2007326509.tif 000002
【特許請求の範囲】
【請求項１】
カップを受ける受け部と、該受け部に互いに間隔をおいて設けられ、該受け部上に配置された前記カップをその両側方から支持する一対の支持部とを備え、少なくとも一方の該支持部は、前記受け部からその上方へ伸びる軸部材に該軸部材の周りに回動可能且つ該軸部材の伸長方向に沿って移動可能に支持され、前記カップを前記他方の支持部との間で挟持するために該他方の支持部に向けての回転力が付与されたカップホルダーであって、前記一方の支持部と前記受け部との間には、前記一方の支持部を前記受け部から所定の間隔をおいた高さ位置に保持する弾性体が設けられていることを特徴とするカップホルダー。
【請求項２】
前記受け部は、側方に開放する開放端部を有するケース部材の前記開放端部内に配置され、該開放端部を開放して前記受け部上への前記カップの配置が可能となる開放位置と前記開放端部を閉鎖し前記各支持部が前記ケース部材内に収納される閉鎖位置との間で回動可能に前記開放端部の下部に支持されており、前記一方の支持部は、その一端部が前記受け部の前記開放位置で前記ケース部材側に位置する縁部上に位置するように前記受け部上に配置されており、前記一方の支持部の前記一端部には、該一端部から前記ケース部材の内側面に向けて突出し、前記一方の支持部が前記他方の支持部に向けて前記軸部材の周りに所定の回動位置を越えて回動することを防止するためのストッパが形成されており、前記内側面には、前記受け部の回動時に前記ストッパを一端から他端に向けて案内する案内溝が形成されており、前記受け部の回動中心からの前記案内溝の距離は前記一端から前記他端に向けて漸減していることを特徴とする請求項１に記載のカップホルダー。
【請求項３】
前記弾性体は、前記軸部材の周りに巻き回されたコイルスプリングであり、該コイルスプリングは、前記一方の支持部から荷重が作用したときに圧縮変形又は引き伸ばし変形することにより前記荷重を吸収することを特徴とする請求項１又は２に記載のカップホルダー。
【発明の詳細な説明】
【技術分野】
【０００１】
本発明は、例えば車両の室内に設けるのに好適なカップホルダーに関する。
【背景技術】
【０００２】
従来、例えば車両の室内に運転席と助手席との間で設けられたコンソールに設けられ、例えば紙コップ及びジュースの缶等を保持するためのカップホルダーが知られている（例えば、特許文献１参照。）。
【０００３】
このカップホルダーは、カップを受ける板状の受け部と、該受け部上に配置されたカップをその両側方から支持すべく受け部に互いに間隔をおいて設けられた一対の支持部とを備える。両支持部のうち一方の支持部は、受け部からその上方に伸びる軸部材を介して該軸部材の周りに回動可能に受け部に支持されている。また、前記一方の支持部は、軸部材に設けられたトーションスプリングから、他方の支持部に向けての回転力が常時付与されている。また、前記一方の支持部は、軸部材の周りの回動が円滑になるように、その下面が受け部に当接することなく該受け部から所定の間隔をおいた高さ位置に保持されている。
【０００４】
カップホルダーにカップを保持する際、前記一方の支持部をトーションスプリングのばね力に抗して前記他方の支持部から離反する方向へ回動させ、受け部上に両支持部間でカップを配置する。その後、前記一方の支持部をトーションスプリングのばね力により前記他方の支持部に向けて回動させることによりカップを両支持部間に挟み込む。これにより、カップを受け部上で保持することができるので、例えば車両の走行中にカップホルダーが振動を受けたとき、この振動により受け部からカップが脱落することを防止することができる。
【０００５】
しかしながら、このカップホルダーでは、軸部材に沿った前記一方の支持部の移動が規制されていることから、例えば受け部上にカップを配置するときにカップから前記一方の支持部に下方へ向けて大きな押圧力が作用したとき、その押圧力を吸収することができず、該押圧力が軸部材に該軸部材を抉る抉り力として前記一方の支持部から作用する。このため、軸部材及び前記一方の支持部が破損してしまう虞がある。
【０００６】
そこで、支持部にその上方から作用する外力を吸収することができるカップホルダーが提案されている（例えば、特許文献２参照。）。
【０００７】
このカップホルダーは、例えば車両の座席の側面に取り付けられる板状の取付部と、該取付部の下端から張り出してカップを受ける受け部と、取付部に受け部の上方で設けられ、座席から離れる方向に開放するＵ字状の第一の支持部材と、該第一の支持部材と共同して環状の支持部を構成するＵ字状の第二の支持部材とを備える。第一及び第二の支持部材は、第一の支持部材の両端部に形成された係合部に第二の支持部材の両端部に形成された係止爪を係合することにより互いに連結されている。
【０００８】
このカップホルダーによれば、第一の支持部材にその上方から所定の値を超える大きさの外力が作用したとき、第一の支持部材の係合部と第二の支持部材の係止爪との係合が解除される。これにより、第一の支持部材に作用した外力を吸収することができるので、前記外力による支持部の破損を防止することができる。
【特許文献１】特開２００４−１６１１２４号公報
【特許文献２】特開２００３−３４１７２号公報
【発明の開示】
【発明が解決しようとする課題】
【０００９】
しかしながら、第一の支持部材にその上方から所定の値を超える大きさの外力が作用したとき、その外力を吸収するために第一の支持部材の係合部と第二の支持部材の係止爪との係合を解除することから、両支持部材間の結合が解除された後、カップホルダーを使用可能な状態に戻すために第一の支持部材と第二の支持部材とを再び互いに結合させる作業を行う必要がある。このため、第一の支持部材に荷重が作用して両支持部材間の結合が解除される度に前記した作業を繰り返し行う必要があり、カップホルダーの使い勝手が悪い。
【００１０】
そこで、本発明の目的は、使い勝手の悪化を招くことなく外力による支持部の破損を防止することができるカップホルダーを提供することにある。
【課題を解決するための手段】
【００１１】
上記課題を解決するために、請求項１に記載の発明は、カップを受ける受け部と、該受け部に互いに間隔をおいて設けられ、該受け部上に配置された前記カップをその両側方から支持する一対の支持部とを備え、少なくとも一方の該支持部は、前記受け部からその上方へ伸びる軸部材に該軸部材の周りに回動可能且つ該軸部材の伸長方向に沿って移動可能に支持され、前記カップを前記他方の支持部との間で挟持するために該他方の支持部に向けての回転力が付与されたカップホルダーであって、前記一方の支持部と前記受け部との間には、前記一方の支持部を前記受け部から所定の間隔をおいた高さ位置に保持する弾性体が設けられていることを特徴とする。
【００１２】
請求項２に記載の発明は、請求項１に記載の発明において、前記受け部は、側方に開放する開放端部を有するケース部材の前記開放端部内に配置され、該開放端部を開放して前記受け部上への前記カップの配置が可能となる開放位置と前記開放端部を閉鎖し前記各支持部が前記ケース部材内に収納される閉鎖位置との間で回動可能に前記開放端部の下部に支持されており、前記一方の支持部は、その一端部が前記受け部の前記開放位置で前記ケース部材側に位置する縁部上に位置するように前記受け部上に配置されており、前記一方の支持部の前記一端部には、該一端部から前記ケース部材の内側面に向けて突出し、前記一方の支持部が前記他方の支持部に向けて前記軸部材の周りに所定の回動位置を越えて回動することを防止するためのストッパが形成されており、前記内側面には、前記受け部の回動時に前記ストッパを一端から他端に向けて案内する案内溝が形成されており、前記受け部の回動中心からの前記案内溝の距離は前記一端から前記他端に向けて漸減していることを特徴とする。
【００１３】
請求項３に記載の発明によれば、請求項１又は２に記載の発明において、前記弾性体は、前記軸部材の周りに巻き回されたコイルスプリングであり、該コイルスプリングは、前記一方の支持部から荷重が作用したときに圧縮変形又は引き伸ばし変形することにより前記荷重を吸収することを特徴とする。
【発明の効果】
【００１４】
請求項１に記載の本発明によれば、受け部上に配置されたカップを支持するための一対の支持部のうち少なくとも一方の支持部が、受け部からその上方へ伸びる軸部材を介して該軸部材の周りに回動可能に受け部に支持され且つ他方の支持部に向けて付勢されていることから、前記一方の支持部に付与された前記他方の支持部へ向けての回転力により、両支持部間に配置されたカップをその両側方から両支持部で挟持することができる。これにより、カップを受け部上に容易に保持することができるので、本発明に係るカップホルダーを例えば車両の室内に設けた場合でも、例えば車両の走行中にカップホルダーが振動を受けたとき、この振動により受け部からカップが脱落することを防止することができる。
【００１５】
また、前記一方の支持部が軸部材の伸長方向に沿って移動可能に支持されており、前記一方の支持部と受け部との間には、前記一方の支持部を受け部から所定の間隔をおいた高さ位置に保持する弾性体が設けられていることから、弾性体から前記一方の支持部に作用する前記所定の高さ位置への付勢力に打ち勝つ大きな荷重が前記一方の支持部にその上方から作用したとき、その荷重が弾性体に該弾性体を弾性変形させる変形力として前記一方の支持部から作用するので、この弾性変形により前記一方の支持部の下方への移動が許される。これにより、前記一方の支持部にその上方から荷重が作用したとき、この荷重を前記一方の支持部の軸部材に沿った移動及び弾性体の弾性変形により吸収することができるので、前記荷重により前記一方の支持部及び軸部材が破損することを確実に防止することができる。
【００１６】
更に、弾性体の弾性変形により前記一方の支持部の下方への移動が許されることから、前記一方の支持部に作用する荷重を吸収すべく前記一方の支持部が下方へ移動した後、前記荷重が前記一方の支持部から除去されたとき、前記一方の支持部は弾性体から受ける弾性反力により前記所定の高さ位置に復帰する。これにより、荷重を吸収すべく移動した前記一方の支持部を元の位置に復帰させるために従来のような格別な作業を施す必要はない。従って、支持部に荷重が作用する度にカップホルダーを使用可能な状態に戻すための作業が必要となる従来の場合のような使い勝手の悪化を招くことを確実に防止することができる。
【００１７】
請求項２に記載の発明によれば、受け部が、ケース部材の開放端部の下部に、開放端部を開放して受け部上へのカップの配置が可能となる開放位置と開放端部を閉鎖し各支持部がケース部材内に収納される閉鎖位置との間で回動可能に支持されており、前記一方の支持部の一端部には、該一端部からケース部材の内側面に向けて突出し、前記一方の支持部が前記他方の支持部に向けて軸部材の周りに所定の回動位置を越えて回動することを防止するためのストッパが形成されており、ケース部材の内側面には、受け部の回動時にストッパ一端から他端に案内する案内溝が形成されており、受け部の回動中心からの案内溝の距離がその一端から他端に向けて漸減していることから、開放位置から閉鎖位置に向けての受け部の回動時にストッパが案内溝内をその一端から他端に向けて移動したとき、案内溝の周面からストッパに弾性体の弾性力に抗した押圧力をその大きさが案内溝の一端から他端に向けて漸増するように作用させることができるので、ストッパに作用する押圧力を前記一方の支持部に受け部へ向けて移動させる移動力としてストッパを介して作用させることができる。これにより、各支持部がケース部材内に収納された収納状態すなわち受け部が閉鎖位置におかれたときの前記一方の支持部と受け部との間隔が、受け部が開放位置におかれたときのそれよりも小さくなる。これにより、前記収納状態でケース部材の奥行方向に沿ったカップホルダーの全体の寸法を開放位置でのカップホルダー全体の高さ寸法に比べて小さくすることができるので、ケース部材の奥行寸法を小さくすることができる。従って、ケース部材をコンパクト化することができるので、製造コストの削減を図ることができ、また、カップホルダーを例えば車両のコンソールに設けた場合、コンソール内のカップホルダーを収納するための空間を小さくすることができるので、コンソール内の空間を有効に利用することができる。
【００１８】
請求項３に記載の発明によれば、弾性体は、軸部材の周りに巻き回されたコイルスプリングであることから、前記一方の支持部にその上方から荷重が作用したときに前記一方の支持部から作用する下方へ向けての変形力によりコイルスプリングを圧縮変形又は引き伸ばし変形することによって前記荷重を吸収することができる。
【発明を実施するための最良の形態】
【００１９】
本発明を図示の実施例に沿って説明する。
【実施例】
【００２０】
本実施例では、車両の室内のコンソール１０に設けられるカップホルダー１１に本発明を適用した例について説明する。
【００２１】
本発明に係るカップホルダー１１は、図１に示すように、紙コップ及びジュースの缶等の図示しないカップを受ける受け部１３と、該受け部上に配置された前記カップをその側方から支持する支持手段１４とを備える。カップホルダー１１は、図示の例では、コンソール１０に形成された開口部１０ａ内に装着されたケース部材１５内に収納されている。
【００２２】
ケース部材１５は、図示の例では、車両の上方側に位置する頂壁１６と、車両の下方側に位置する底壁１７と、車幅方向へ互いに間隔をおく一対の側壁１８と、車両の前方側に位置する奥壁１９とを有し、車両後方へ開放する直方体をなしている。ケース部材１５の開放端部１５ａは車両の幅方向に伸びる矩形状をなしており、ケース部材１５は、その開放端部１５ａがコンソール１０の開口部１０ａで車室内に開放するように該開口部内に配置されている。開放端部１５ａにおける各側壁１８の下部には、それぞれ後述する各軸部１２を受ける軸受け２０（図１には、一方の軸受け２０が示されている。）が形成されている。
【００２３】
カップホルダー１１の受け部１３は、図示の例では、平面がほぼ矩形状をなした板部材からなり、カップを受ける受け面２１を有する。受け部１３は、ケース部材１５の開放端部１５ａ内に嵌合可能且つ該開放端部を閉鎖可能な大きさを有する。また、受け部１３は、その長手方向が車幅方向に沿い且つ受け面２１が上方を向くように配置されている。受け部１３の車幅方向で対向する一対の短辺部２２には、それぞれの互いに対応する端部２２ａから互いに離反する方向に突出する一対の前記した軸部１２（図１には、一方の軸部１２が示されている。）が形成されている。受け部１３は、各軸部１２がケース部材１５の各軸受け２０に回転可能に受け入れられることにより、ケース部材１５に各軸部１２を介して該各軸部の周りに回動可能に支持されている。また、受け部１３の四つの角部のうち各軸部１２に対応する一対の角部１３ａには、それぞれ該各角部から受け部１３の上方に伸びる軸部材２３（図１には、一方の軸部材２３が示されている。）が設けられている。各軸部材２３には、後述する支持アーム２４が取り付けられる。
【００２４】
受け部１３とケース部材１５との間には、該ケース部材の開放端部１５ａを閉鎖する図２に示す回動位置である閉鎖位置と、受け部１３の板厚方向がほぼ鉛直方向を向く図１に示す回動位置である開放位置とで、受け部１３を保持するための保持機構２５が設けられている。
【００２５】
保持機構２５は、図１乃至図３に示すように、受け部１３の各軸部１２の近傍からケース部材１５内に伸びる一対の伸長部２６と、該伸長部の先端２６ａに形成され、ケース部材１５の各側壁１８の内面１８ａに向けて開放する孔２７と、該各孔内に配置された図示しない圧縮コイルスプリングと、各孔２７内に挿入された係合体２９と、ケース部材１５の各側壁１８に対称位置で形成され、受け部１３の開放位置及び閉鎖位置で各係合体２９に係合する一対の係合孔３０（図１及び図３には、一方の側壁１８に形成された一対の係合孔３０が示されている。）とを備える。
【００２６】
各係合体２９は、それぞれ各先端部が各孔２７から各側壁１８の内面１８ａに向けて突出するように前記コイルスプリングのばね力で各孔２７の軸線方向に付勢されている。
【００２７】
受け部１３が開放位置におかれた状態では、各係合体２９がそれぞれ一方の各係合孔３０に係合することにより、受け部１３は開放位置に保持される。この状態で、受け部１３に上方へ向けての回転力を与えると、該回転力が前記各一方の係合孔３０の縁部から各係合体２９に該各係合体を前記各コイルスプリングのばね力に抗して各伸長部２６の孔２７内に押し込む押圧力として作用する。これにより、前記各一方の係合孔３０への各係合体２９の係合が解除される。その後、各係合体２９は、他方の各係合孔３０に向けて各側壁１８の内面１８ａ上を摺動し、受け部１３が閉鎖位置におかれたときに、それぞれ各他方の係合孔３０に係合する。これにより、受け部１３が閉鎖位置に保持される。
【００２８】
受け部１３の受け面２１上には、図示の例では、受け部１３の長手方向すなわち車幅方向に沿って二つの前記カップが配列して配置される。
【００２９】
前記各カップを支持する支持手段１４は、図１に示す例では、受け部１３の受け面２１上に配置された前記各カップ間に設けられた支持部３１と、該支持部と共同して前記各カップを挟持するための一対の前記した支持アーム２４とを有する。支持部３１、各支持アーム２４及び受け部１３により、受け部１３の受け面２１上に配置された各カップを保持する保持空間３２が規定されている。
【００３０】
支持部３１は、図示の例では、受け部１３の長手方向の中央部を受け部１３の車両前後方向に横切り且つ受け部１３の上方へ立ち上がるように、受け部１３上に配置されている。支持部３１の車幅方向で互いに対向する一対の面３１ａには、それぞれ側方へ開放する凹部３３が形成されている。各凹部３３は、図示の例では、それぞれ平面で見て円弧状をなしている。
【００３１】
各支持アーム２４は、図示の例では、それぞれ受け部１３に設けられた各軸部材２３に支持される基部３４と、該基部から支持部３１に沿って受け部１３の受け面２１にほぼ平行に伸びる棒状のアーム部３５とを有する。
【００３２】
各基部３４には、それぞれ各軸部材２３が挿通される挿通孔３６が形成されており、各基部３４は、その挿通孔３６内に軸部材２３が挿通されることにより該軸部材に支持されている。各挿通孔３６の大きさは、軸部材２３が挿通された状態で各基部３４が軸部材２３の周りに回転可能且つ軸部材２３の軸線に沿って移動可能となる大きさに設定されている。各基部３４が軸部材２３に支持されることにより、各支持アーム２４は、それぞれ軸部材２３の周りに回動可能且つ該軸部材の軸線に沿って移動可能に各軸部材２３を介して受け部１３に支持されている。
【００３３】
各アーム部３５は、それぞれ支持部３１の各凹部３３の凹み方向と反対方向へ各凹部３３の曲率とほぼ等しい曲率で湾曲した円弧状をなしている。
【００３４】
受け部１３に設けられた各軸部材２３には、各支持アーム２４をそれぞれ支持部３１に向けて付勢する付勢手段３７が設けられている。付勢手段３７は、図示の例では、トーションスプリング３８で構成されている。
【００３５】
トーションスプリング３８は、それぞれ各軸部材２３の周りに螺旋状に巻き回されたコイル部３９と、該コイル部の両端から伸びる一対の直線部４０ａ，４０ｂとを有する。一方の直線部４０ａは各支持アーム２４の基部３４に固定されており、他方の直線部４０ｂは各軸部材２３の下端部２３ａに固定されている。コイル部３９の巻き方向は、各支持アーム２４が支持部３１から離反する方向に回動したとき、その巻きが締め付けられる方向に捻れ変形力を受けるように設定されている。これにより、各支持アーム２４にはこの捻れ弾性力が支持部３１へ向けての回転力として作用する。このトーションスプリング３８のばね力により、前記保持空間３２内に配置された各カップを各支持アーム２４と支持部３１との間で挟持することができる。
【００３６】
各支持アーム２４の基部３４には、図４に示すように、それぞれ各支持アーム２４が所定の回動位置を越えて支持部３１に向けて回動することを防止するための第一のストッパ４１が形成されている。
【００３７】
各第一のストッパ４１は、それぞれ各基部３４からケース部材１５の内方に突出しており、図示の例では、アーム部３５が支持部３１に所定の間隔をおく回動位置である使用待機位置に各支持アーム２４がおかれたときに、各側壁１８の内面１８ａに係合する。これにより、各アーム部３５の先端３５ａがトーションスプリング３８から受けるばね力により支持部３１に押し付けられることによって各アーム部３５に大きな負荷が作用することを、確実に防止することができる。
【００３８】
更に、各基部３４には、それぞれ各支持アーム２４に支持部３１から離反する方向すなわち受け部１３の外方へ向けての外力が作用したときに、各支持アーム２４が所定の回動位置を越えて回動することを防止するための第二のストッパ４２が形成されている。
【００３９】
各第二のストッパ４２は、それぞれ各基部３４から支持部３１のケース部材１５側の端面３１ｂ上に突出しており、図４に示す例では、各アーム部３５と支持部３１の各凹部３３とで同一円の弧を構成する回動位置に各支持アーム２４がおかれたときに、支持部３１の前記端面３１ｂに係合する。各第二のストッパ４２がそれぞれ支持部３１の前記端面３１ｂに係合することにより、各支持アーム２４が受け部１３の外方へ過度に回動することによる各トーションスプリング３８の塑性変形を防止することができる。
【００４０】
本発明に係るカップホルダー１１では、図１及び図３に示す例では、トーションスプリング３８のコイル部３９が圧縮コイルスプリングで構成されている。
【００４１】
コイル部３９の軸線に沿った長さ寸法は、各支持アーム２４の基部３４がそれぞれ軸部材２３の上端部２３ｂに位置した状態で各軸部材２３の下端部２３ａから各基部３４に至る大きさを有する。これにより、各基部３４には、該各基部を各軸部材２３の上端部２３ｂに付勢する付勢力がコイル部３９から付与されている。このコイル部３９からの付勢力により、各支持アーム２４は各軸部材２３の上端部２３ｂに保持されている。また、コイル部３９は、各支持アーム２４に下方へ向けての外力が作用したとき各基部３４を介して作用する下方へ向けての力により圧縮変形する。これにより、各支持アーム２４の各軸部材２３に沿った下方への移動が許される。
【００４２】
また、本実施例では、各アーム部３５に、それぞれ前記保持空間３２内に配置された各カップが横倒れすることを防止するための縦壁部４３が形成されている。各縦壁部４３は、図３に示すように、それぞれ各アーム部３５からその下方へ伸びる。各縦壁部４３の伸長方向の長さ寸法は、各軸部材２３の軸線に沿った長さ寸法よりも小さくなるように設定されている。これにより、各支持アーム２４の基部３４が各軸部材２３の上端部２３ｂに位置した状態で各縦壁部４３の下面４３ａと受け部１３の受け面２１との間に間隔がおかれるので、受け部１３へ向けての各支持アーム２４の移動が許される。各縦壁部４３の下面４３ａには、それぞれ受け部１３の受け面２１に当接したときにその衝撃を緩和するための緩衝材４４が設けられている。緩衝材４４は、例えばゴム及びスポンジ等の弾性変形可能な部材で構成される。
【００４３】
更に、本発明に係るケース部材１５には、その各側壁１８に、それぞれ各支持アーム２４の各軸部１２周りの回動時に各第一のストッパ４１を受け入れて該各第一のストッパの移動を案内する案内溝４５が形成されている。
【００４４】
図示の例では、各第一のストッパ４１が案内溝４５内に受け入れられた状態では、各支持アーム２４は、トーションスプリング３８から受ける支持部３１へ向けての付勢力により、アーム部３５が受け部１３からその外方へ突出することなく受け部１３の内方に位置する回動位置に回動し、その状態に保持される。これにより、受け部１３を開放位置から図２に示す閉鎖位置に向けて回動させたとき、各アーム部３５がケース部材１５の開放端部１５ａに干渉することなく支持部３１及び各支持アーム２４をケース部材１５内に収納することができる。
【００４５】
各案内溝４５は、図３に示すように、それぞれ受け部１３の回動時に各第一のストッパ４１が移動したときに各第一のストッパ４１が描く軌跡に沿って、ケース部材１５の開放端部１５ａから底壁１７に向けて伸びるように形成されている。
【００４６】
図示の例では、各案内溝４５の幅方向で互いに対向する一対の側面のうち各支持アーム２４の各軸部１２から離れた側に位置する側面４５ａと各支持アーム２４の回動中心すなわち各軸部１２との間の距離が、各案内溝４５のケース部材１５の開放端部１５ａ側に位置する一端４５ｂから底壁１７側に位置する他端４５ｃに向けて漸減している。これにより、受け部１３を開放位置から閉鎖位置に向けて回動したとき、各案内溝４５内に受け入れられた各第一のストッパ４１には、各案内溝４５の前記側面４５ａから各トーションスプリング３８のコイル部３９のばね力に抗した押圧力が、その大きさが漸増するように作用する。このとき、この押圧力は各基部３４に各支持アーム２４をそれぞれ受け部１３に向けて各軸部材２３に沿って移動させる移動力として各第一のストッパ４１を介して作用する。これにより、各支持アーム２４は、それぞれ受け部１３が開放位置から閉鎖位置に向けて回動するに従って、受け部１３に向けて移動する。また、各案内溝４５の一端４５ｂにおける前記側面４５ａと各軸部１２との間の距離と他端４５ｃにおけるそれとの差は、各支持アーム２４の基部３４がそれぞれ軸部材２３の上端部２３ｂに保持された状態で各縦壁部４３の下面４３ａと受け部１３の受け面２１との間の間隔にほぼ等しい。これにより、受け部１３が閉鎖位置におかれた状態で各縦壁部４３の下面４３ａが受け部１３の受け面２１に当接することが防止されるので、各縦壁部４３の下面４３ａが受け部１３の受け面２１に当接することによって受け部１３の閉鎖位置への回動が阻止されることを、確実に防止することができる。
【００４７】
このように、受け部１３上に配置されたカップを支持するための各支持アーム２４が、受け部１３からその上方へ伸びる軸部材２３を介して該軸部材２３の周りに回動可能に受け部１３に支持され且つ支持部３１に向けて付勢されていることから、各支持アーム２４に付与された支持部３１へ向けての付勢力により、前記保持空間３２内に配置された各カップをそれぞれの両側方から各支持アーム２４及び支持部３１で挟持することができる。これにより、各カップを受け部１３上に容易に保持することができるので、例えば車両の走行中にカップホルダー１１が振動を受けたとき、この振動により受け部１３からカップが脱落することを防止することができる。
【００４８】
また、前記したように、各支持アーム２４が軸部材２３の伸長方向に沿って移動可能に支持されており、各支持アーム２４を各軸部材２３の上端部２３ｂに保持する付勢力を各支持アーム２４に与えるコイル部３９を有するトーションスプリング３８が設けられていることから、各支持アーム２４にコイル部３９から付与された付勢力に打ち勝つ大きな荷重が上方から作用したときに、該荷重がコイル部３９に該コイル部を弾性変形させる変形力として各支持アーム２４から作用するので、各支持アーム２４の下方への移動が許される。これにより、各支持アーム２４にその上方から荷重が作用したとき、この荷重を各支持アーム２４の軸部材２３に沿った移動及びコイル部３９の弾性変形により吸収することができるので、前記荷重により各支持アーム２４が破損することを確実に防止することができる。
【００４９】
更に、前記したように、各縦壁部４３の下面４３ａに、それぞれ受け部１３の受け面２１に当接したときにその衝撃を緩和するための緩衝材４４が設けられていることから、各支持アーム２４にその上方から荷重が作用したときに各縦壁部４３の下面４３ａが受け部１３の受け面２１に当接したとき、各支持アーム２４の軸部材２３に沿った移動及びコイル部３９の弾性変形により吸収し切れなかった荷重の一部を緩衝材４４により確実に吸収することができる。
【００５０】
また、前記したように、トーションスプリング３８のコイル部３９の弾性変形により各支持アーム２４の下方への移動が許されることから、各支持アーム２４に作用する荷重を吸収すべく各支持アーム２４が下方へ移動した後、前記荷重が各支持アーム２４から除去されたとき、各支持アーム２４はコイル部３９から受ける弾性反力により所定の高さ位置に復帰する。これにより、荷重を吸収すべく移動した各支持アーム２４を元の位置に復帰させるために従来のような格別な作業を施す必要はないので、各支持アーム２４に荷重が作用する度にカップホルダー１１を使用可能な状態に戻すための作業が必要となる従来の場合のような使い勝手の悪化を招くことを確実に防止することができる。
【００５１】
更に、前記したように、ケース部材１５の各側壁１８に形成された案内溝４５と受け部１３の回動中心である各軸部１２との間の距離が案内溝４５の一端４５ｂから他端４５ｃに向けて漸減していることから、各支持アーム２４及び支持部３１をケース部材１５内に収納すべく受け部１３をその開放位置から閉鎖位置に向けて回動させたとき、各第一のストッパ４１が案内溝４５の前記側面４５ａから受ける押圧力により各支持アーム２４を受け部１３に向けて移動させることができるので、支持部３１及び各支持アーム２４がケース部材１５内に収納された収納状態すなわち受け部１３が閉鎖位置におかれた状態での各支持アーム２４と受け部１３との間隔が、受け部１３が開放位置におかれたときのそれよりも小さくなる。
【００５２】
これにより、前記収納状態でケース部材１５の奥行方向に沿ったカップホルダー１１の全体の寸法を開放位置でのカップホルダー１１全体の高さ寸法に比べて小さくすることができるので、ケース部材１５の奥行寸法を小さくすることができる。従って、ケース部材１５をコンパクト化することができるので、製造コストの削減を図ることができる。また、カップホルダー１１を例えば車両のコンソール１０に設けた場合、コンソール１０内のカップホルダー１１を収納するための空間を小さくすることができるので、コンソール１０内の空間を有効に利用することができる。
【００５３】
また、前記したように、各支持アーム２４をそれぞれ支持部３１に向けて付勢する付勢手段３７であるトーションスプリング３８のコイル部３９を圧縮コイルスプリングで構成することにより、各支持アーム２４を各軸部材２３の上端部２３ｂに付勢する機能をトーションスプリング３８に担わせることができるので、各支持アーム２４をそれぞれ支持部３１に向けて付勢する付勢手段３７と各支持アーム２４を各軸部材２３の上端部２３ｂに付勢する付勢手段３７とを個別に設けた場合に比べて、部品点数の削減を図ることができるので、製造コストの削減を図ることができる。
【００５４】
本実施例では、各支持アーム２４をそれぞれ支持部３１に向けて付勢する付勢手段３７であるトーションスプリング３８のコイル部３９を圧縮コイルスプリングで構成することにより、各支持アーム２４を各軸部材２３の上端部２３ｂに付勢する機能をトーションスプリング３８に担わせた例を示したが、これに代えて、各支持アーム２４をそれぞれ支持部３１に向けて付勢する付勢手段と各支持アーム２４を各軸部材２３の上端部２３ｂに付勢する付勢手段とを個別に設けることができる。この場合、各支持アーム２４をそれぞれ支持部３１に向けて付勢する付勢手段にトーションスプリング３８以外の付勢手段を用いることができ、また、各支持アーム２４をそれぞれ支持部３１に向けて付勢する付勢手段に例えばゴム、引き伸ばしコイルスプリング及び板ばね等の圧縮コイルスプリング以外の弾性体を用いることができる。また、この場合、各支持アーム２４をそれぞれ支持部３１に向けて付勢する付勢手段を軸部材２３以外の箇所に設けることができる。
【００５５】
また、本実施例では、受け部１３がケース部材１５に回動可能に支持された例を示したが、これに代えて、例えば受け部１３がケース部材１５に引き出し可能に収納されたカップホルダーに本発明を適用することができる。この場合、ケース部材１５内へのカップホルダーの収納時に、各支持アーム２４が受け部１３に向けて移動するように、ケース部材１５の各側壁１８に形成される案内溝４５の形状を適宜変更することができる。
【００５６】
更に、本実施例では、二つのカップが配置される受け部１３を有するカップホルダー１１に本発明を適用した例を示したが、これに代えて、例えば一つのカップ又は三つ以上のカップを配置される受け部を有するカップホルダーに本発明を適用することができる。受け部上に一つのカップが配置される場合、受け部上に一つの支持アームと支持部とを設け、支持アーム及び支持部間でカップを挟持することができ、又は、一対の支持アームを受け部上に設け、両支持アーム間でカップを挟持することができる。
【図面の簡単な説明】
【００５７】
【図１】本発明に係るカップホルダーを概略的に示す斜視図である。
【図２】本発明に係る受け部が閉鎖位置におかれた状態を概略的に示す縦断面図である。
【図３】本発明に係る受け部が開放位置におかれた状態を概略的に示す側面図である。
【図４】本発明に係る受け部の開放位置で第一のストッパがケース部材の各側壁の内面に係合した状態を概略的に示す横断面図である。
【図５】本発明に係る受け部の開放位置で第二のストッパが支持部の端面に係合した状態を概略的に示す横断面図である。
【符号の説明】
【００５８】
１３  受け部
２４  一方の支持部（支持アーム）
２３  軸部材
３１  他方の支持部（支持部）
３９  弾性体（トーションスプリングのコイル部）
１５ａ  開放端部
１５  ケース部材
３４  一端部（支持アームの基部）
１８ａ  内側面（側壁の内面）
４１  ストッパ（第一のストッパ）
４５  案内溝
４５ｂ  一端（案内溝の一端）
４５ｃ  他端（案内溝の他端）
【図１】
2007326509.tif 000003
【図２】
2007326509.tif 000004
【図３】
2007326509.tif 000005
【図４】
2007326509.tif 000006
【図５】
2007326509.tif 000007